(57)【特許請求の範囲】
【請求項１】
帯状でエンドレスな透光性フィルムに複数の図柄を表示してなる図柄表示テープと、該図柄表示テープを掛け渡す複数のプーリと、該プーリを回転自在に支持する回転軸と、該回転軸を取り付けるベース板と、図柄表示テープを周回駆動させる駆動手段と、を有する図柄変動表示装置において、
前記複数のプーリの全部又はそのうちの一部のプーリと、そのプーリを支持する回転軸と、該回転軸を取り付けるベース板のそれぞれを導電性の素材で形成し、
前記図柄表示テープの裏面に導電性のプーリを接触させ、該プーリから回転軸を介して図柄表示テープに発生する静電気をベース板に流すようにしたことを特徴とする遊技機における図柄変動表示装置。
【請求項２】
請求項１に記載の図柄変動表示装置を備えてなることを特徴とする遊技機。
【発明の詳細な説明】
【０００１】
【発明の属する技術分野】
本発明は、複数の図柄を変動させ、停止した時点における図柄の当たり外れをゲーム要素に取り入れた遊技機の構成部品であって、前記図柄を変動表示するための図柄変動表示装置及び遊技機に関する。
【０００２】
【従来の技術】
従来、帯状でエンドレスな透光性フィルムに複数の図柄を表示してなる図柄表示テープと、該図柄表示テープを掛け渡す複数のプーリと、図柄表示テープを周回駆動させる駆動手段とを有し、前記図柄表示テープを横並び状態で複数セット配列してなる図柄変動表示装置が、例えば特開平７−２８４５６１号に記載されている。
【０００３】
【発明が解決しようとする課題】
上記図柄変動表示装置の図柄表示テープは合成樹脂であるため、周回による摩擦で静電気が発生する。この静電気を放置すると、図柄表示テープがプーリなどに吸着して駆動手段に加わる負荷が増大し、なおかつ、図柄表示テープに埃が吸着して極短期間で汚れる、などの弊害が発生する。
【０００４】
本発明は、上記に鑑みなされたもので、その目的は、静電気による弊害を有効に防止し得る図柄変動表示装置を提供することにある。
【０００５】
【課題を解決するための手段】
上記の目的を達成するため本発明は、帯状でエンドレスな透光性フィルムに複数の図柄を表示してなる図柄表示テープと、該図柄表示テープを掛け渡す複数のプーリと、該プーリを回転自在に支持する回転軸と、該回転軸を取り付けるベース板と、図柄表示テープを周回駆動させる駆動手段と、を有する図柄変動表示装置において、
前記複数のプーリの全部又はそのうちの一部のプーリと、そのプーリを支持する回転軸と、該回転軸を取り付けるベース板のそれぞれを導電性の素材で形成し、
前記図柄表示テープの裏面に導電性のプーリを接触させ、該プーリから回転軸を介して図柄表示テープに発生する静電気をベース板に流すようにした遊技機における図柄変動表示装置を提供する。
また、その図柄変動表示装置を備えた遊技機を提供する。
【０００６】
導電性のプーリと導電性の回転軸を介して図柄表示テープに発生する静電気が導電性のベース板に流れる。従って、従来のような静電気に起因する弊害が生じない。
【０００７】
【発明の実施の形態】
以下にパチンコ機を例にとって本発明の実施の形態を図面を参照しつつ説明する。なお、図１は図柄変動ユニットを後ろから見た斜視図、図２は図柄変動ユニットの縦断面図、図３はプーリを半断面にして示す要部の分解斜視図、図４は照明装置の斜視図、図５は図柄変動表示装置の分解斜視図、図６はパチンコ機の正面図である。
【０００８】
先ず、パチンコ機Ｐの概要について説明する。図６のように、遊技板１の遊技領域１ａには、中央に図柄変動表示装置２が設置され、さらにその周囲に始動入賞口３，３…や変動入賞装置４などが設置されている。前記中央の図柄変動表示装置２は、遊技客に対向する部分に三列×三行で合計九個の図柄６，６…が一度に表示され、上・中・下の各行と対角線上に合計五本の当たりライン７，７…が設定されている。そして、パチンコ機Ｐは、始動入賞口３への入賞を受けて図柄変動表示装置２の図柄６を列方向に変動させ、その変動が停止した時点の当たりライン７上の図柄６が例えば「７，７，７」や「☆，☆，☆」などのように所定の組み合わせである場合に変動入賞装置４を所定の条件で作動させるのである。
【０００９】
次に、図柄変動表示装置２について説明する。図柄変動表示装置２は、遊技板１の表側に位置する取付基盤８と、一列分の図柄表示機能を持つ図柄変動ユニット９と、該図柄変動ユニット９を三個並べて収納設置する箱状の裏ケース１０と、からなる。前記取付基盤８は遊技板１にビスなどで取着されるもので、透明カバー１１を嵌め込んだ四角形の表示窓５を有する。なお、透明カバー１１を凸レンズ状にして図柄６を拡大表示するようにしてもよい。
【００１０】
前記図柄変動ユニット９は、導電性を有する金属板を使った長方形のベース板１２と、帯状でエンドレスな図柄表示テープ１３と、該図柄表示テープ１３を掛け渡すプーリ１４ａ〜１４ｃ及びテンションローラ１４ｄと、図柄表示テープ１３を周回駆動させる駆動手段１６と、図柄表示テープ１３の位置検出をするセンサーユニット１７と、図柄表示テープ１３を照らす照明装置１８と、から概略構成される。
【００１１】
前記図柄表示テープ１３は、乳白色で透光性がある帯状の透光性フィルム１９をエンドレスに形成すると共に該透光性フィルム１９の表面に例えば「○，△，□，☆，…」などの図柄６，６…を印刷してなる。なお、図柄表示テープ１３の図柄６には、文字、数字、絵などのあらゆる図形が含まれる。該図柄表示テープ１３の両側縁には全周に亙って濃色に着色した遮光ベルト部２０ａ，２０ｂを形成し、ベース板１２側の遮光ベルト部２０ａにほぼ等ピッチで透明な図柄ポイント２１が形成してある。そして、他側縁の遮光ベルト部２０ｂには透明なスタートポイント２２が一個形成してある。図柄表示テープ１３は、前記プーリ１４ａ〜１４ｃとテンションローラ１４ｄに掛け渡されており、プーリ１４ｂとプーリ１４ｃの間が遊技客に対向する表示領域となって取付基盤８の表示窓５に対向する。
【００１２】
前記プーリ１４ａ〜１４ｃ及びテンションローラ１４ｄは導電性合成樹脂の成型品であって、二個の円形カップ体２３ｆ，２３ｒと、両円形カップ体２３ｆ，２３ｒの中間に位置する細径の円筒体２３ｐと、前方の円形カップ体２３ｆの先端外周に設けたフランジ２３ｔとからなる。このプーリ１４ａ〜１４ｃ及びテンションローラ１４ｄは、円形カップ体２３ｆ，２３ｒの中間に細径の円筒体２３ｐを設けた構造であるため、第一に軽量になるから駆動手段１６に加わる負荷の軽減に寄与する、第二に図柄表示テープ１３との接触面が該図柄表示テープ１３の両側縁に限定されるから長期間使用しても図柄６の裏面に傷が付かずその結果いつまでも透光性が良好に保たれる、などの効果を発揮する。また、前記前方の円形カップ体２３ｆのフランジ２３ｔは、図柄表示テープ１３の離脱を防止するためのものであるが、二箇所に平行なる切除部２４を設けることによって、離脱防止機能を損なうことなくより一層の軽量化が図られる。なお、この切除部２４はバランスを損なわない形態であることを条件に三箇所以上設けることも可能である。
【００１３】
前記プーリ１４ａ〜１４ｃは、ベース板１２の各コーナー部分に配置されており、図３に示したように、フランジ１５付きの回転軸２６ａ〜２６ｃを中心に回転自在である。回転軸２６ａ〜２６ｃはベース板１２にビスで固着されており、従って、回転軸２６ａ〜２６ｃに軸承されているプーリ１４ａ〜１４ｃは、ベース板１２上の定位置で回転する。また、回転軸２６ａ〜２６ｃは前記プーリ１４ａ〜１４ｃなどと同じく導電性合成樹脂の成型品であって、プーリ１４ａ〜１４ｃとベース板１２を電気的に接続する機能を果たす。
【００１４】
一方、テンションローラ１４ｄは、ベース板１２上に揺動自在に軸着してなるアーム２７先端に、フランジ付きの回転軸２６ｄをもって回転自在に軸承されており、これによりテンションローラ１４ｄがアーム２７と一緒に揺動し得る。アーム２７のもう一方の端部には付勢手段であるスプリング２９が連結されており、該スプリング２９の弾性でテンションローラ１４ｄを図柄表示テープ１３側に付勢する。なお、この回転軸２６ｄもまた導電性合成樹脂の成型品であり、且つ、アーム２７も導電性の金属で出来ている。従って、テンションローラ１４ｄとベース板１２も回転軸２６ｄとアーム２７を介して電気的に接続されている。
【００１５】
ベース板１２には、テンションローラ１４ｄの揺動範囲に対応するように四角い透孔３０が形成されている。この透孔３０は下辺がテンションローラ１４ｄの揺動中心を中心とする弧状に形成されており、アーム２７のテンションローラ１４ｄ側がその中に入って揺動し得る。
【００１６】
なお、前記回転軸２６ａ〜２６ｃと一体のフランジ１５は、円をほぼ１／４に分割した扇形状になっているが、それは、円のほぼ３／４の部分が図柄表示テープ１３に全く接触しないため、その不要な部分を切除してしまうことにより、材料コストの低減と軽量化を図ることができるからである。また、フランジ１５を前記扇形状にすると直線部分のエッジで図柄表示テープ１３の縁が擦れるおそれがある。そのため、その直線部分に面取り部１５ａ，１５ａを形成し、以て図柄表示テープ１３の縁が擦れないようにしてある。さらにまた、プーリ１４ａ〜１４ｃ及びテンションローラ１４ｄとベース板１２側のフランジを別体にしたことで、図柄表示テープ１３の着脱を非常に容易にすることができる。例えば、プーリ１４ｃを残して他のプーリ１４ａ，１４ｂとテンションローラ１４ｄをベース板１２側に組み付け、その状態で図柄表示テープ１３を掛け渡した後、プーリ１４ｃを回転軸２６ｃに装着すればよいのである。
【００１７】
前記駆動手段１６は、図柄表示テープ１３の表面に接触する駆動ローラ３１と、該駆動ローラ３１を回転させるステッピングモータ３２と、前記駆動ローラ３１に図柄表示テープ１３を押し付ける加圧ローラ３３と、からなり、それらが一枚の小基板３４上に設置され、この小基板３４をベース板１２にビス止めすることによって該ベース板１２上に取り付けられている。
【００１８】
前記駆動ローラ３１は、ステッピングモータ３２の駆動軸３２ａに直結されており、硬質のドラム部３１ａの外周に、例えばゴムなどの弾性体にローレットのような滑り止め手段を全周に施してなるカバー体３６が設けられている。もちろん駆動ローラ３１の全体が弾性体であってもよい。
【００１９】
加圧ローラ３３は、図柄表示テープ１３の内側に配設されており、前記駆動ローラ３１に図柄表示テープ１３を介して対向している。加圧ローラ３３は、小基板３４上に揺動自在に軸着されているローラアーム５６の先端に回転自在な状態で軸承されている。ローラアーム５６は、もう一方の端部がスプリング３８で牽引されていて加圧ローラ３３を前記駆動ローラ３１側に付勢する。前記のように加圧ローラ３３と駆動ローラ３１の間には図柄表示テープ１３が介在しているから、図柄表示テープ１３が駆動ローラ３１の周面に加圧ローラ３３で押し付けられる。なお、加圧ローラ３３も前記駆動ローラ３１と同様に硬質のドラム部３３ａに滑り止め加工を施したカバー体３７を設けた構造である。
【００２０】
前記センサーユニット１７は、発光素子と受光素子の組み合わせである光学式のスタートセンサーＳ１及び図柄センサーＳ２からなる。スタートセンサーＳ１は、図２に示すようにセンサー基板４１から長く伸びる上下二本の支持フレーム４２の先端に固着され、また、図柄センサーＳ２はセンサー基板４１上に固着されており、スタートセンサーＳ１が図柄表示テープ１３のスタートポイント２２に対応し、図柄センサーＳ２が図柄表示テープ１３の図柄ポイント２１に対応する。なお、スタートセンサーＳ１を支持する上の支持フレーム４２には遮光用の庇板４３が一体に形成されている。
【００２１】
図柄変動表示装置２を制御する遊技用制御基盤（図示せず）は、スタートセンサーＳ１でスタートポイント２２を検知した後、その情報を元に図柄センサーＳ２で図柄６を検知するように設定されている。このスタートセンサーＳ１と図柄センサーＳ２の信号を組み合わせて前記ステッピングモータ３２を制御する。なお、光学式のセンサーに代え、図柄表示テープ１３の側縁に磁気により図柄６の情報を記録して検知するなど、他の手段によって図柄表示テープ１３の位置検出をしてもよい。また、ステッピングモータ３２の制御は、スタートセンサーＳ１と図柄センサーＳ２の信号を組み合わせる必要は必ずしもなく、一個のセンサーで制御するシステムを採用するようにしてもよい。そのための一具体例として、図柄ポイント２１の任意の一個を基準点に定め、該基準点の図柄ポイント２１の横に透明なスタートポイントを近接配置し、この図柄ポイント２１とスタートポイントの連続信号により基準点を判断する方法がある。
【００２２】
照明装置１８は、図４に示したように、プリント基板１８ａと、棒状の発光体たる蛍光灯１８ｂ，１８ｂと、赤色に発光する多数の発光ダイオード１８ｃ，１８ｃ…とからなる。プリント基板１８ａは、三つの図柄表示テープ１３，１３，１３の表示領域をほぼカバーする大きさの長方形であり、図２に示したように、図柄変動ユニット９のベース板１２に開設した長方形の開口４６を通って図柄表示テープ１３，１３，１３で囲われた領域内に設置される。蛍光灯１８ｂ，１８ｂは、全図柄表示テープ１３，１３，１３に跨るに十分な長さの直線棒状形態であり、プリント基板１８ａに固着したソケット１８ｄにより両端が支持されている。また、蛍光灯１８ｂ，１８ｂは二本を水平に並設したもので、両蛍光灯１８ｂ，１８ｂの間隔は前記図柄ポイント２１の一ピッチにほぼ等しい。
【００２３】
前記発光ダイオード１８ｃは六個を一セットとし、それが九セット取り付けられている。この発光ダイオード１８ｃの各セットは、表示領域の図柄６に対応するよう三列×三行に配列されており、中央行の図柄６に対応する発光ダイオード１８ｃの三セットが前記二本の蛍光灯１８ｂ，１８ｂの間に位置する。従って、蛍光灯１８ｂ，１８ｂが発光ダイオード１８ｃの行を仕切る機能を果たす。一方、プリント基板１８ａの表面は半田メッキ１８ｅを施した反射構造になっている。該半田メッキ１８ｅは発光ダイオード１８ｃの列ごとに対応して三列設けられており、隣り合うもの同士の間に適宜な隙間４８が形成されている。従って、発光ダイオード１８ｃが点灯するとその光が半田メッキ１８ｅに反射して図柄表示テープ１３，１３，１３を照らす。
【００２４】
ベース板１２には、図１，図２に示したように、遮光フレーム２５がビス止めされている。該遮光フレーム２５は、黒色の合成樹脂製であって、長方形の窓穴２５ａと、該窓穴２５ａの上下の位置に照明装置１８側に向けて突出させた庇片２５ｂと、ベース板１２にビス止めするための取付片２５ｃとを有する。遮光フレーム２５の窓穴２５ａは、図柄表示テープ１３の要照明部分、すなわち、図柄６の組合せに必要なコマ数分に対応する形状である。また、庇片２５ｂの上面にはテーパ面が形成されていて、プーリ１４ｂ，１４ｃの周面に近接し得るように設定してある。
【００２５】
而して、上記図柄変動ユニット９は一列分の図柄６に対応するものであり、図５に示したように三個の図柄変動ユニット９をスペーサー用の軸筒５０を介してネジ軸５１で連結し、それを裏ケース１０内に組み込む。
【００２６】
次に、本発明の図柄変動表示装置２の動作説明をする。先ず、図６において始動入賞口３にパチンコ球が入賞すると、三個の図柄変動ユニット９の各ステッピングモータ３２が始動して駆動ローラ３１が回転する。駆動ローラ３１は、前記のように滑り止め加工を施したカバー体３６で表面が覆われているから摩擦係数が高く、しかも、加圧ローラ３３によって図柄表示テープ１３が加圧状態で駆動ローラ３１に接しているため、図柄表示テープ１３が駆動ローラ３１との間に生ずる摩擦力によって周回する。
【００２７】
そして、各ステッピングモータ３２を所定の順番か、又は、一斉に停止させ、その時の当たりライン７上の図柄６の組み合わせを判定する。その判定の結果、図柄６が所定の組み合わせである場合には、パチンコ機Ｐが大当たり状態となって変動入賞装置４を所定の態様で作動させ、遊技客に所定の利益を与える。なお、図示した図柄変動表示装置２は、図柄表示テープ１３の長さが温度や長期間の使用で多少変化しても、スプリング２９の付勢でテンションローラ１４ｄが図柄表示テープ１３に押し付けられるため、図柄表示テープ１３には常時適度な張力が付与されている。従って、図柄表示テープ１３が弛まず、外れない。
【００２８】
図柄変動表示装置２の照明装置１８は、パチンコ機Ｐの遊技用制御基盤で制御されるように設定されており、蛍光灯１８ｂが表示領域を内側から照らすメインライトとして、また、発光ダイオード１８ｃがゲームの状態に合わせて変化するサブライトとして使用される。例えば、一本の当たりライン７上で二個の図柄６が揃った状態（俗にリーチ状態という。）でその当たりライン７上に対応する発光ダイオード１８ｃだけを点滅させてアピールしたり、大当たりとなった場合に全ての発光ダイオード１８ｃを点滅させる、という演出効果にサブライトが使われる。この照明装置１８の光は、遮光フレーム２５によって遮られ、窓穴２５ａ以外の部分に照射されないため、図柄表示テープ１３の要照明部分のみが明るく照らし出される。そして、図柄表示テープ１３の遮光ベルト部２０ａ，２０ｂや図柄表示テープ１３，１３，１３同士の隙間が遊技客から全く見えず、また、照明装置１８側に向けて突設した庇片２５ｂによって図柄表示テープ１３とプーリ１４ｂ，１４ｃの間の隙間Ｓに光が漏れ難い。
【００２９】
一方、図柄表示テープ１３は周回による摩擦で静電気を帯びる。この静電気は、プーリ１４ａ〜１４ｃやテンションローラ１４ｄと図柄表示テープ１３とを吸着させる作用があるためステッピングモータ３２に加わる負荷を増大させ、且つ、図柄表示テープ１３に埃を吸着させるため有害である。しかし、上記図柄変動表示装置２は、前記のようにプーリ１４ａ〜１４ｃ及びテンションローラ１４ｄと回転軸２６ａ〜２６ｄを導電性の素材で形成したから図柄表示テープ１３に静電気が発生しても金属製のベース板１２に全て流れてしまう。従って、上記のような静電気による弊害が生じない。なお、プーリ１４ａ〜１４ｃ及びテンションローラ１４ｄの全てを導電性の素材で形成するのが静電気対策上最も効果的であるが、それらの何れかを選択して一部のもののみに導電構造を採用してもある程度の静電気防止効果は期待できる。
【００３０】
ところで、静電気対策としては、導電性合成樹脂で成形したプーリ１４ａ〜１４ｃ及びテンションローラ１４ｄを導電性の部材として利用する以外にも、例えば、導電性の除電ローラを別途付加して図柄表示テープ１３に転がり接触させたり、或いは、導電性のブラシを図柄表示テープ１３に接触させたりする方法がある。しかし、導電性の部材としてプーリやテンションローラを使用する方法には、次のような優位性がある。すなわち、第一にプーリやテンションローラは図柄表示テープ１３にほぼ転がり接触するものであるため図柄表示テープ１３が傷まない、第二にプーリやテンションローラを利用することにより場所をとらず、しかも別部材を付加する場合に較べて部品コスト及び組立コストが安い。
【００３１】
以上本発明を実施の形態について説明したが、もちろん本発明は上記実施形態に限定されるものではない。例えば、上記説明では裏ケース１０内に図柄変動ユニット９を三個並設したが、その個数は任意である。少なくとも一個あれば図柄変動のゲームは可能である。また、三個の図柄表示テープ１３，１３，１３を横に並べたが、該図柄表示テープ１３，１３，１３を水平にして上下に並べるようにすることも可能である。また、プーリの個数も四個より多くても少なくてもよい。また、駆動ローラ３１を回転させるモータは、電気的に回転制御できるものであればどのようなものであってもよい。さらにまた、遊技機としてパチンコ機Ｐを例示したが、広く遊技機全般に適用できる。
【００３２】
【発明の効果】
本発明の図柄変動表示装置は、導電性のプーリと導電性の回転軸を介して図柄表示テープに発生する静電気を導電性のベース板に流すようにしたため、静電気に起因する弊害が生じず、従って、駆動手段に加わる付加が小さくなるから該駆動手段を小型化することができ、且つ、長期間使用しても図柄表示テープが汚れ難い、などの効果がある。
【図面の簡単な説明】
【図１】  図柄変動ユニットを後ろから見た斜視図である。
【図２】  図柄変動ユニットの縦断面図である。
【図３】  プーリを半断面にして示す要部の分解斜視図である。
【図４】  照明装置の斜視図である。
【図５】  図柄変動表示装置の分解斜視図である。
【図６】  パチンコ機の正面図である。
【符号の説明】
Ｐ    …パチンコ機（遊技機）
２    …図柄変動表示装置
６    …図柄
１２  …ベース板
１３  …図柄表示テープ
１４ａ〜１４ｃ…プーリ
１６  …駆動手段
２６ａ〜２６ｄ…回転軸
【図１】
0003951318.tif 000002
【図２】
0003951318.tif 000003
【図３】
0003951318.tif 000004
【図４】
0003951318.tif 000005
【図５】
0003951318.tif 000006
【図６】
0003951318.tif 000007